(57)【要約】【課題】  店頭でデモモードを設定した製品が、販売時に確実にデモモードが解除される複合印刷装置を提供することを目的とする。【解決手段】  複合印刷装置の付属品１９、２０が取り外されたことを検知したときにはデモモードを解除することで、デモモードの解除し忘れを防止する。【選択図】  図１
2011025514.tif 000002
【特許請求の範囲】
【請求項１】
付属品を装着して動作する第１のモードと、
付属品を装着する前、あるいは第１のモードから起動可能な第２のモードと、
第２のモードを起動するための操作手段と、
第２のモードが起動されたことを示す情報を記憶する不揮発性の記憶手段と、
電源投入時に前記記憶手段に記憶された情報から、第１のモードあるいは第２のモードを動作させる起動手段と、
前記付属品の装着、未装着を検出する検出手段と、
前記検出手段によって前記付属品が装着から未装着に、あるいは未装着から装着に変化したときには、前記記憶手段に記憶された情報を再設定し、第２のモードを無効にすることを特徴とする複合印刷装置。
【請求項２】
前記第１のモードはユーザ操作が可能な通常モードで、前記第２のモードは店頭でのデモ機能が動作するデモモードであることを特徴とする請求項１の複合印刷装置。
【発明の詳細な説明】
【技術分野】
【０００１】
本発明は、例えばユーザ元で動作する通常モードと店頭で動作するデモモードのように、複数のモードを切替えて使うことができる複合印刷装置に関する。特には、付属品を備えた複合印刷装置であって、搬送時は付属品を取り外し、使用時には付属品の装着の必要な複合印刷装置に関する。
【背景技術】
【０００２】
従来の店頭でのデモ機能に関しては、特定の開始操作でデモモードを動作開始させるものがある（特許文献１、特許文献２参照）。動作開始したデモモードの終了は、デモ機能の終了で自動的に終了するか、あるいは特定の終了操作で終了するものが知られている。またデモモードで表示するデータの入ったカードの挿抜でデモモードの開始、終了を行なうものが知られている（特許文献３参照）。
【先行技術文献】
【特許文献】
【０００３】
【特許文献１】特開平１０−１６６６６６号公報
【特許文献２】特開２００７−１７５９３７号公報
【特許文献３】特開２００７−１８９３３０号公報
【発明の概要】
【発明が解決しようとする課題】
【０００４】
従来の特定の開始操作で動作開始したデモモードの終了が、デモの終了で自動的に行なわれた場合、デモ機能を開始したい度にデモモードの起動を操作する必要があるという煩わしさがある。電源オフの度にデモモードを終了する場合も同様で、電源オンの度にデモモードの開始操作が必要になるという煩わしさがある。また、特定の終了操作で終了する場合は、その特定の終了操作がなされるまではデモモードが継続されるという利点があるが、その製品がユーザに販売される時には、必ずデモモードを終了させる必要があり、終了操作のし忘れが起こる可能性がある。さらには、特定のカードの挿抜でデモモードの開始、終了を行なった場合は通常モードとデモモードの区別が明確になるという利点があるが、特定のカードを用意する必要があり、かつ店頭でのカードの盗難防止などの対策が必要になるという煩わしさが発生する。
【０００５】
本発明は上記問題点に鑑みてなされたもので、起動されたデモモードの終了を確実に行なえるようにした複合印刷装置を提供することにある。
【課題を解決するための手段】
【０００６】
請求項１記載の発明は、
付属品を装着して動作する第１のモードと、
付属品を装着する前、あるいは第１のモードから起動可能な第２のモードと、
第２のモードを起動するための操作手段と、
第２のモードが起動されたことを示す情報を記憶する不揮発性の記憶手段と、
電源投入時に前記記憶手段に記憶された情報から、第１のモードあるいは第２のモードを動作させる起動手段と、
前記付属品の装着、未装着を検出する検出手段と、
前記検出手段によって前記付属品が装着から未装着に、あるいは未装着から装着に変化したときには、前記記憶手段に記憶された情報を再設定し、第２のモードを無効にすることを特徴とする複合印刷装置、
を提供することにある。
【発明の効果】
【０００７】
本発明によれば、一度起動されたデモモードは電源オフ・オンに拘わらず継続し、かつデモモードが設定された製品がユーザに販売された場合でもデモモードが終了するような複合印刷装置を提供することができる。
【図面の簡単な説明】
【０００８】
【図１】本発明の実施形態に係わる複合印刷装置のブロック図。
【図２】本発明の実施形態に係わる複合印刷装置の全体を説明するための斜視図。
【図３】本発明の実施形態に係わる複合印刷装置の印刷部を説明するための斜視図。
【図４】デモモード開始に係わる制御手順を示すフローチャート。
【図５】付属品が外された時の制御手順を示すフローチャート。
【図６】電源オン時の制御手順を示すフローチャート。
【発明を実施するための形態】
【０００９】
［実施例］
以下、図面を用いて本発明の複合印刷装置について説明する。なお、複合印刷装置としてインクジェットプリンタ複合機を例に説明する。
【００１０】
図１は本発明の実施形態に係わる複合印刷装置のブロック図である。
【００１１】
１１は装置全体を制御するためのＣＰＵ、１２はＣＰＵ１１の制御手順を記憶したＲＯＭ、１３はＣＰＵ１１が使用するＲＡＭ、１４は装置の状態や設定を記憶するためのＥＥＰＲＯＭで、電源が切られても記憶することができる不揮発性のメモリである。ＣＰＵ１１はＲＯＭ１２が書かれた制御手順に従って、複合印刷装置を構成する入力装置１５、表示装置１６、読取装置１７、印刷装置１８を制御する。入力装置１５は、いくつかのキーを備え、操作者が複合印刷装置に指示するための操作部となる。表示装置１６は、操作者の操作に応じて複合印刷装置から状態等を表示するための表示部である。通常モードであれば通常モードに応じた表示を、デモモードであればデモモードに応じた表示がなされる。読取装置１７は原稿の読み取りを行なうスキャナ部である。印刷装置１８はインクジェットプリンタで構成される印刷部で、プリントヘッド１９とインクタンク２０の付属品を備えている。プリントヘッド１９とインクタンク２０は印刷装置１８に装着、あるいは取り外しをすることができ、装着することで印刷装置１８は印刷が可能となる。それぞれは印刷装置１８と電気的な接合部をもち、接合部を通してプリントヘッド１９とインクタンク２０の装着、不装着を検知することができる。なお、本複合印刷装置の搬送時はインク漏れ防止の為に、プリントヘッド１９とインクタンク２０を取り外すことを必須としている。
【００１２】
図２は本発明に係わる複合印刷装置の斜視図である。
【００１３】
５１はいくつかのボタンを備えた操作部で、通常モードでの操作やデモモードの設定、その他のために使われる。５２は表示部で、操作部５１の操作に応じて表示される。５３は読取部の外装部分であり、読取装置１７を内蔵している。５４は印刷部の外装部分であり、印刷装置１８を内蔵している。５５は印刷装置１８に用紙を供給するための給紙トレイ、５６は印刷装置１８で印刷された用紙を受け止めるための排紙トレイである。
【００１４】
図３は印刷装置１８のプリントヘッド１９とインクタンク２０に係わる部分を拡大した斜視図である。図２の読取部の外装部分５３と印刷部の外装部分５４を電源を入れた状態で開くと、図３に示すようなプリントヘッド１９とインクタンク２０を備えたキャリッジが現れ、プリントヘッド１９とインクタンク２０の装着、あるいは取り外しができるようになる。また、電源を切った状態ではキャリッジからプリントヘッド１９とインクタンク２０の装着、あるいは取り外しができないように、キャリッジが退避位置に置かれるようになっている。
【００１５】
６１はプリントヘッド１９とインクタンク２０を搭載したキャリッジである。キャリッジ６１には色毎の複数個のインクタンク２０を搭載している場合がある。６２はヘッド着脱レバーで、図示されていないが、インクタンク２０の奥にプリントヘッド１９があり、そのプリントヘッド１９を着脱するためのレバーである。インクタンク２０内のインクはプリントヘッド１９に供給されて印刷を行なうことができる。
【００１６】
図４はデモモード開始あるいは通常モード開始に係わる制御手順を示すフローチャートで、操作部５１のキーの操作処理部分を示している。
【００１７】
Ｓ１１で操作部５１のキーを読み込む。Ｓ１２でキーを判定し、キー操作の詳細は記載しないがデモモード開始操作かを判定する。デモモード開始操作であればＳ１３に進み、Ｓ１３ではＥＥＰＲＯＭ１４内に設けられたデモモード動作フラグをＯＮにする。デモモード動作フラグは通常はＯＦＦであり、デモモードの起動が指示されたときにＯＮとなり、通常モードの起動が指示されたときにＯＦＦとなる。ＥＥＰＲＯＭ１４に記憶されているので、電源オフされても値を保持することができる。Ｓ１３でデモモード動作フラグをＯＮにした後は、Ｓ１４でデモモードを開始する。デモモードの内容はここでは重要ではないので詳述しない。
【００１８】
Ｓ１２でデモモード開始操作で無いと判定されたときはＳ１５に進み、デモモード終了操作かを判定する。デモモード終了操作であればＳ１６に進み、Ｓ１６でＥＥＰＲＯＭ１４内に設けられたデモモード動作フラグをＯＦＦにし、Ｓ１７で通常モードを開始する（デモモードを終了する）。Ｓ１２、Ｓ１５でデモモード開始操作、デモモード終了操作でなければ、Ｓ１８に進み、詳述しないが入力されたキーに応じた処理を行なう。
【００１９】
図５は付属品が外された時の制御手順を示すフローチャートである。
【００２０】
Ｓ２１でプリントヘッド１９が外されたかを、Ｓ２２で全てのインクタンク２０が外されたかを判定する。プリントヘッド１９と個々のインクタンク２０は電気的な接点を通じて印刷装置１８に接続され、有無検知ができるようになっている。Ｓ２１あるいはＳ２２でプリントヘッド１９あるいは全インクタンク２０が外されるとＳ２３に進み、ＥＥＰＲＯＭ１４内のデモモード動作フラグがＯＦＦされる。つまり、搬送時にプリントヘッド１９あるいは全インクタンク２０が取り外されると、デモモード動作フラグがＯＦＦされるようになっている。
【００２１】
図６は電源オン時の制御手順を示すフローチャートである。
【００２２】
Ｓ３１でデモモード動作フラグがＯＮかどうかをチェックし、ＯＦＦであればＳ３２に、ＯＮであればＳ３３に進む。Ｓ３２では通常モードを開始し、Ｓ３３ではデモモードを開始する。
【００２３】
以上からデモモードの開始のためには入力装置１５からの特定操作が必要であるが、プリントヘッド１９の取り外し、あるいは全てのインクタンク２０の取り外しによってデモモード動作フラグがＯＦＦされ、次の電源ＯＮからは通常モードで動作するようになる。これによって、デモモードが設定された製品が販売されたとしても、付属品１９、２０の取り外しによって、デモモードがユーザ元で動作することは無くなる。
【００２４】
なお、本実施例ではインクジェットプリンタ複合機に適用した場合を述べたが、レーザープリンタ複合機に適用できることは言うまでもない。
【符号の説明】
【００２５】
１１  ＣＰＵ
１２  ＲＯＭ
１３  ＲＡＭ
１４  ＥＥＰＲＯＭ
１５  入力装置
１６  表示装置
１７  読取装置
１８  印刷装置
１９  プリントヘッド
２０  インクタンク
５１  操作部
５２  表示部
５３  読取部
５４  印刷部
５５  給紙トレイ
５６  排紙トレイ
６１  キャリッジ
６２  ヘッド着脱レバー
【図１】
2011025514.tif 000003
【図２】
2011025514.tif 000004
【図３】
2011025514.tif 000005
【図４】
2011025514.tif 000006
【図５】
2011025514.tif 000007
【図６】
2011025514.tif 000008